(57)【要約】【課題】防犯灯などの照明器具を電柱などの柱状体に取り付ける取付け金具を提供する。【解決手段】断面視コの字型に形成された柱取付け金具本体と、該金具本体に所定の角度で固定される照明器具取付け金具と、前記金具本体と照明器具取付け金具とを所定の角度で固定するＬ字型固定部材とから構成され、前記金具本体の対向する側板部の一端側には、柱状物取付用のベルト体挿通スリットがそれぞれ形成され、また他端側中央には、前記Ｌ字型固定部材と係合する複数のスリットが角度を変えてそれぞれ穿設される。【選択図】        図２
0003162753.tif 000002
【実用新案登録請求の範囲】
【請求項１】
防犯灯などの照明器具を電柱などの柱状物に取付ける取付け金具であって、断面視コの字型に形成された柱取付け金具本体と、該金具本体に所定の角度で固定される照明器具取付け金具と、前記金具本体と照明器具取付け金具とを所定の角度で固定するＬ字型固定部材とから構成され、前記金具本体の対向する側板部の一端側には、柱状物取付用のベルト体挿通スリットがそれぞれ形成され、また他端側中央には、前記Ｌ字型固定部材と係合する複数のスリットが角度を変えてそれぞれ穿設され、一方照明器具取付け金具は照明器具取付け用孔部が複数穿設され、前記金具本体と回動可能に接続する一対の接続片を供え、且つ該接続片には前記Ｌ字型固定部材を挿通するスリットが夫々対向して穿設されたことを特徴とする取付け金具。
【考案の詳細な説明】
【技術分野】
【０００１】
本考案は、取付け金具であって、とくに防犯灯などの照明器具を電柱などの柱状体に取り付ける際に使用する取付け金具に関するものである。
【背景技術】
【０００２】
従来より、住宅地の道路において防犯用として使用される照明器具は、蛍光ランプが光源として用いられており、コンクリート柱や専用の金属柱に取り付けられて使用されている。一般に蛍光ランプを使用する設備は安価であり、また電柱など既存の設備を利用できることから広く採用されてきた。
【０００３】
上記の照明器具を柱に取付ける際には、一般に金属製バンドが使用されており、専用の固定具を介して取付けられている（特許文献１参照。）。
【０００４】
近年、蛍光ランプよりも消費電力が少なく、また発熱が少ない光源として、発光ダイオードを使用する照明装置が紹介され、上記の防犯灯にも多数の製品が提案されている。しかしながら柱に取付ける金具としては従来の固定具と金属製バンドの組合せがほとんどであった（特許文献２参照。）。
【先行技術文献】
【特許文献】
【０００５】
【特許文献１】特開２００２−１４７４１５号公報
【特許文献２】実用新案登録第３１５９６８０号公報
【考案の概要】
【考案が解決しようとする課題】
【０００６】
上記の問題点に鑑み本考案者らは、金属製バンドによって柱に取り付け、所定の角度で照明器具を取付けることができる取付け金具を提供するに至った。
【課題を解決するための手段】
【０００７】
本考案の取付け金具は、断面視コの字型に形成された柱取付け金具本体と、該金具本体に所定の角度で固定される照明器具取付け金具と、前記金具本体と照明器具取付け金具とを所定の角度で固定するＬ字型固定部材とから構成され、前記金具本体の対向する側板部の一端側には、柱状物取付用のベルト体挿通スリットがそれぞれ形成され、また他端側中央には、前記Ｌ字型固定部材と係合する複数のスリットが角度を変えてそれぞれ穿設され、一方照明器具取付け金具は照明器具取付け用孔部が複数穿設され、前記金具本体と回動可能に接続する一対の接続片を供え、且つ該接続片には前記Ｌ字型固定部材を挿通するスリットが夫々対向して穿設されたことを特徴とする。
【０００８】
尚、前記Ｌ字型固定部材と係合する複数のスリットは、放射状に穿設されてもかまわない。
【考案の効果】
【０００９】
本考案に係る取付け金具によれば、Ｌ字型固定部材を柱取付け金具本体と、照明器具取付け金具とを挿通して固定することで証明器具を所定の角度で固定することができるという効果を有する。
【００１０】
また、Ｌ字型固定部材と係合する複数のスリットが角度を変えてそれぞれ穿設されており、照明器具の角度変更が簡単にできるという効果を有する。
【図面の簡単な説明】
【００１１】
【図１】本考案に係る取付け金具の一実施例を示す説明図である。
【図２】本考案に係る取付け金具の斜視図である。
【図３】本考案の取付け金具の使用状態を示す図である。
【考案を実施するための形態】
【００１２】
以下、本考案を実施例を示す図面を参照しながら説明するが、本考案が本実施例に限定されないことは言うまでもない。図１は、本考案の取付け金具の一実施例を示す説明図であり、図１（ａ）は平面説明図、図１（ｂ）は側面説明図、図１（ｃ）は正面説明図、図２は本考案に係る取付け金具の斜視図、図３は本考案の取付け金具の使用状態を示す図である。
【実施例】
【００１３】
図１及び図２に示すように、本考案の取付け金具は、ステンレス製板材を断面視コの字型に折り曲げて形成された柱取付け金具本体１と、一対の接続片２を備え、柱取付け金具本体１に回動可能に接続される照明器具取付け金具３と、この照明器具取付け金具３と柱取付け金具本体１を所定の角度で固定するＬ字型固定部材４とから構成され、後述する照明器具を照明器具取付け金具３に取付けて、電柱などの柱状体に金属ベルトによって取付けられる。
【００１４】
柱取付け金具本体１は、厚さ２ｍｍのステンレス製板材からなり、断面視コの字型に折り曲げて形成されており、この折り曲げて形成された側板５の一端側には金属ベルト用挿通スリット６がそれぞれ対向して形成され、また側板５の他端側には照明器具取付け金具３の接続片２と後述する接続ボルトを挿通して回動可能とする接続孔７と、Ｌ字型固定部材４を挿通して係合するスリット８がそれぞれ対向して穿設されている。尚、スリット８は後述する照明器具の取付角度に相当する角度と、Ｌ字型固定部材４の断面形状の大きさに合わせて複数穿設されている。
【００１５】
照明器具取付け金具３は、柱取付け金具本体１と同じ厚みのステンレス製板材で形成されており、ボルト(図示せず）を挿通する孔部９を設け、照明器具を取付ける取付板１０と、柱取付け金具本体１の接続孔７と対応する接続孔１１を形成した一対の接続片２からなり、接続用ボルト１２によって柱取付け金具本体１と回動可能に接続されると共に、接続片２にはＬ字型固定部材４を挿通するスリット１３がそれぞれ穿設されている。尚、一対の接続片２は取付板１０に対して溶接で直角方向に接合したものや、取付板１０の両側端部を折り曲げて形成されたものであってもかまわない。
【００１６】
Ｌ字型固定部材４は、長方形のステンレス製板材を長手方向に略Ｌ字型に折り曲げて形成され、短辺側の中央部には上記接続用ボルト１２を挿通する孔部１４が穿設されている。
【００１７】
この構成からなる本考案の取付け金具は、柱取付け金具本体１と、照明器具取付け金具３を接続孔７、１１に接続用ボルト１２をそれぞれ挿通して回動可能に接続し、Ｌ字型固定部材４を柱取付け金具本体１の一端側スリット１３から、照明器具取付け金具３のスリット８を挿通し、さらに柱取付け金具本体１の他端側スリット１３を挿通して係合させることによって柱取付け金具本体１と、照明器具取付け金具３を所定の角度で固定することができる。尚、Ｌ字型固定部材４は接続用ボルト１２を孔部１４に挿通して柱取付け金具本体１と、照明器具取付け金具３に固定することにによって確実に固定される。
【００１８】
図３は、本考案の取付け金具を使用して照明器具をコンクリート柱に取付けた状態を示している。図に示すように照明器具取付け金具３の取付面１０には照明器具１５がボルト（図示せず）によって固定されており、上述したＬ字型固定部材４によって角度調整される。そして、柱取付け金具本体１の挿通スリット６を挿通した金属ベルト１６がコンクリート柱１７に取付けられる。
【００１９】
以上、本考案の取付け金具によれば、Ｌ字型固定部材を柱取付け金具本体と、照明器具取付け金具とを挿通して固定することで所定の角度で固定することができる。また、Ｌ字型固定部材と係合する複数のスリットが角度を変えてそれぞれ穿設されており、照明器具の取付け角度の変更が簡単にできる。
【符号の説明】
【００２０】
１              柱取付け金具本体
２              接続片
３              照明器具取付け金具
４              Ｌ字型固定部材
５              側板
６              挿通スリット
７、１１        接続孔
８、１３        スリット
９、１４        孔部
１０              取付面
１２              接続用ボルト
１５              照明器具
１６              金属ベルト
１７              コンクリート柱
【図１】
0003162753.tif 000003
【図２】
0003162753.tif 000004
【図３】
0003162753.tif 000005